(57)【特許請求の範囲】
【請求項１】
物体側から像側へ順に、正の屈折力の第１レンズ群、負の屈折力の第２レンズ群、開口絞り、第３レンズ群より構成され、フォーカシングに際して、前記第１レンズ群および前記第３レンズ群は不動であり、前記第２レンズ群が移動し、前記第１レンズ群は、最も広い空気間隔を境に、物体側に正の屈折力の第１１レンズ群、像側に第１２レンズ群を有し、前記第１１レンズ群は１つの正レンズＧ１より構成され、前記正レンズＧ１の材料の屈折率をＮＧ１、比重をｄＧ１、焦点距離をｆＧ１、全系の焦点距離をｆとするとき、
ｄＧ１＜−３．１×（ＮＧ１）２＋１４．７×ＮＧ１−１２．８
０．４＜ｆＧ１／ｆ＜０．８
なる条件式を満たすことを特徴とする撮像光学系。
【請求項２】
１．５＜ＮＧ１
なる条件式を満たすことを特徴とする請求項１に記載の撮像光学系。
【請求項３】
前記第１１レンズ群と前記第１２レンズ群の光軸上の間隔をＤ１ａｂ、最も物体側のレンズ面から像面までの距離をＬとするとき、
０．０５＜Ｄ１ａｂ／Ｌ＜０．４０
なる条件式を満たすことを特徴とする請求項１又は２に記載の撮像光学系。
【請求項４】
前記第１２レンズ群は少なくとも１つの負レンズを含み、前記第１２レンズ群に含まれる負レンズについて物体側から数えたときの第ｊ番目の負レンズＧｎｊの焦点距離をｆｎｊ、材料のアッベ数をνｄｎｊとするとき、
−０．２５１≦Σ（ｆ／（ｆｎｊ×νｄｎｊ））＜−０．１５
なる条件式を満たすことを特徴とする請求項１乃至３のいずれか１項に記載の撮像光学系。
【請求項５】
前記第１２レンズ群は少なくとも１つの正レンズを含み、該正レンズの材料のアッベ数をνｄ１２ｐとするとき、
８０＜νｄ１２ｐ
なる条件式を満たすことを特徴とする請求項１乃至４のいずれか１項の撮像光学系。
【請求項６】
瞳近軸光線が光軸と交わる位置よりも物体側に少なくとも１つの回折光学素子を有することを特徴とする請求項１乃至５のいずれか１項に記載の撮像光学系。
【請求項７】
物体側から像側へ順に、前記第３レンズ群は正の屈折力の第３１レンズ群、像ぶれ補正に際して光軸に対して垂直方向の成分を持つように移動する負の屈折力の第３２レンズ群、正の屈折力の第３３レンズ群より構成されることを特徴とする請求項１乃至６のいずれか１項に記載の撮像光学系。
【請求項８】
前記第２レンズ群は、単一の負レンズ、または、正レンズと負レンズを接合した接合レンズより構成されることを特徴とする請求項１乃至７のいずれか１項に記載の撮像光学系。
【請求項９】
請求項１乃至８のいずれか１項に記載の撮像光学系と、該撮像光学系によって形成される像を受光する撮像素子を有することを特徴とする撮像装置。
【発明の詳細な説明】
【技術分野】
【０００１】
本発明は撮像光学系及びそれを有する撮像装置に関し、例えば固体撮像素子を用いたビデオカメラ、デジタルスチルカメラ、ＴＶカメラ、監視用カメラや銀塩フィルムを用いたフィルム用カメラ等に好適なものである。
【背景技術】
【０００２】
長焦点距離の撮像光学系として、物体側から像側へ順に、正の屈折力を有する前方レンズ群と、負の屈折力を有する後方レンズ群より成る、所謂望遠タイプの撮像光学系（望遠レンズ）が知られている。ここで長焦点距離とは例えば有効撮像範囲の寸法に比べて長い焦点距離のことをいう。一般的に焦点距離の長い望遠タイプの撮像光学系では、焦点距離が延びるにしたがって、光学系全体が大型化し、また高重量化してくる。特に前方レンズ群が高重量化してくる。また諸収差のうち、特に軸上色収差及び倍率色収差等の色収差が多く発生してくる。
【０００３】
これらの色収差を、蛍石等の異常部分分散性を持った低分散材料を用いて補正する（色消しを行った）撮像光学系が種々提案されている。例えば色収差を部分分散比（θｇＦ）が大きい材料を開口絞りより前側（物体側）の正レンズに用いることで補正した撮像光学系が知られている（特許文献１）。特許文献１では焦点距離４００ｍｍ前後でＦナンバー２．８程度の望遠タイプの撮像光学系を開示している。
【０００４】
一方、撮像光学系の色収差を含めた諸収差を補正しつつ、レンズ重量を軽量化する方法として、撮像光学系の一部に、回折作用を有する回折光学部を基板上に設けた回折光学素子を用いる方法が知られている。この方法を用いて、色収差を補正しつつレンズ全長を短縮したり、ガラス材料の比重を比較的軽い材料でレンズを構成することで総合的なレンズ重量を軽量化した撮像光学系が知られている（特許文献２）。
【０００５】
特許文献２では焦点距離８００ｍｍ前後でＦナンバー５．８程度の望遠タイプの撮像光学系を開示している。また多くの望遠タイプの撮像光学系では、フォーカシングを高速に行うために前方レンズ群以外の比較的小型でしかも軽量のレンズ群を移動させて行うインナーフォーカス式を用いた撮像光学系が知られている（特許文献３）。特許文献３では物体側より順に、正の屈折力の第１レンズ群、負の屈折力の第２レンズ群を有し、第２レンズ群を移動させてフォーカスを行っている。
【先行技術文献】
【特許文献】
【０００６】
【特許文献１】特開昭５８−８２２１７号公報
【特許文献２】特開２００８−０９６６５６号公報
【特許文献３】特開２００９−２７１３５４号公報
【発明の概要】
【発明が解決しようとする課題】
【０００７】
望遠タイプの撮像光学系は一般に、焦点距離を長くするにつれてレンズ系全体が大型化及び高重量化してくる。このため望遠タイプの撮像光学系ではレンズ系全体の小型化及び軽重量化を図ることが重要になってくる。
【０００８】
一般に望遠タイプの撮像光学系において焦点距離が長くなるにつれて、正の屈折力の前方レンズ群が大型化及び高重量化してくる。更に色収差の発生が多くなってくる。このため望遠タイプの撮像光学系においては正の屈折力の前方レンズ群のレンズ構成を適切に設定することが全系の小型化及び軽量化を図りつつ、かつ色収差を良好に補正し、高い光学性能を得るのに重要になってくる。前方レンズ群のレンズ構成が不適切であると全系が大型化及び高重量化し、諸収差が増大し高い光学性能を得るのが大変困難になる。
【０００９】
本発明は、全系の小型化及びレンズ重量の軽量化を図ることが容易な撮像光学系及びそれを有する撮像装置の提供を目的とする。
【課題を解決するための手段】
【００１０】
本発明の撮像光学系は、物体側から像側へ順に、正の屈折力の第１レンズ群、負の屈折力の第２レンズ群、開口絞り、第３レンズ群より構成され、フォーカシングに際して、前記第１レンズ群および前記第３レンズ群は不動であり、前記第２レンズ群が移動し、前記第１レンズ群は、最も広い空気間隔を境に、物体側に正の屈折力の第１１レンズ群、像側に第１２レンズ群を有し、前記第１１レンズ群は１つの正レンズＧ１より構成され、前記正レンズＧ１の材料の屈折率をＮＧ１、比重をｄＧ１、焦点距離をｆＧ１、全系の焦点距離をｆとするとき、
ｄＧ１＜−３．１×（ＮＧ１）２＋１４．７×ＮＧ１−１２．８
０．４＜ｆＧ１／ｆ＜０．８
なる条件式を満たすことを特徴としている。
【発明の効果】
【００１１】
本発明によれば、全系の小型化及びレンズ重量の軽量化を図ることが容易な撮像光学系が得られる。
【図面の簡単な説明】
【００１２】
【図１】（Ａ），（Ｂ）  本発明の実施例１の撮像光学系の物体距離無限遠時におけるレンズ断面図と収差図
【図２】（Ａ），（Ｂ）  本発明の実施例２の撮像光学系の物体距離無限遠時におけるレンズ断面図と収差図
【図３】（Ａ），（Ｂ）  本発明の実施例３の撮像光学系の物体距離無限遠時におけるレンズ断面図と収差図
【図４】（Ａ），（Ｂ）  本発明の実施例４の撮像光学系の物体距離無限遠時におけるレンズ断面図と収差図
【図５】（Ａ），（Ｂ）  本発明の実施例５の撮像光学系の物体距離無限遠時におけるレンズ断面図と収差図
【図６】レンズの焦点距離と重量との関係を示す説明図
【図７】本発明に係る回折光学素子の説明図
【図８】本発明に係る回折光学素子の説明図
【図９】本発明の撮像装置の説明図
【発明を実施するための形態】
【００１３】
以下に本発明の好ましい実施の形態を、添付の図面に基づいて説明する。本発明の撮像光学系は、物体側から像側へ順に、正の屈折力の第１レンズ群、フォーカスのために光軸方向に移動する負の屈折力の第２レンズ群、開口絞り、正又は負の屈折力の第３レンズ群、を有している。
【００１４】
図１（Ａ）乃至図５（Ａ）は、本発明の撮像光学系の実施例１乃至実施例５のレンズ断面図である。また図１（Ｂ）乃至図５（Ｂ）は本発明の撮像光学系の実施例１乃至実施例５の縦収差図である。図６はレンズの焦点距離と重量の関係を示す説明図である。図７（Ａ），（Ｂ）、図８（Ａ），（Ｂ），（Ｃ）は各々本発明に係る回折光学素子の説明図である。図９は本発明の撮影光学系をカメラ本体に装着した一眼レフカメラシステム（撮像装置）の要部概略図である。
【００１５】
各レンズ断面図において、Ｌ０は撮像光学系である。ＳＰは軸上最大光束径を決定している開口絞りである。撮像光学系Ｌ０は正の屈折力の第１レンズ群Ｌ１、フォーカシングに際して移動する負の屈折力の第２レンズ群Ｌ２、正又は負の第３レンズ群Ｌ３を有している。第１レンズ群Ｌ１は最も広い空気間隔を境に物体側に正の屈折力の第１１レンズ群Ｌ１１、像側に第１２レンズ群Ｌ１２を有している。フォーカシングに際して第１レンズ群Ｌ１と第３レンズ群Ｌ３は不動である。
【００１６】
第３レンズ群Ｌ３は物体側から像側へ順に、固定の第３１レンズ群Ｌ３１、光軸に対し垂直方向の成分を持つように移動して画像（結像位置）を光軸方向に対し垂直に移動させる第３２レンズ群Ｌ３２、固定の第３３レンズ群Ｌ３３を有する。
【００１７】
実施例２乃至５は、瞳近軸光線が光軸と交わる位置よりも物体側に少なくとも１つの回折光学素子ＤＯＥを有している。Ｇは、光学フィルター、フェースプレート、水晶ローパスフィルター、赤外カットフィルター等に相当する光学ブロックである。ＩＰは像面であり、ビデオカメラやデジタルカメラの撮影光学系として使用する際には像を受光するＣＣＤセンサやＣＭＯＳセンサ等の撮像素子（光電変換素子）の撮像面が、銀塩フィルム用カメラの撮像光学系とし使用する際にはフィルム面に相当する。
【００１８】
各収差図において、ｄ-line、ｇ-lineは順に、ｄ線、ｇ線である。ΔＭ、ΔＳはメリディオナル像面、サジタル像面である。倍率色収差はｇ線によって表している。ＦｎｏはＦナンバー、ωは半画角である。すべての収差図においては、後述する各数値実施例をｍｍ単位で表したとき球面収差は０．２ｍｍ、非点収差は０．２ｍｍ、歪曲は２％、倍率色収差は０．０２５ｍｍのスケールで描かれている。各実施例の撮像光学系Ｌ０は望遠タイプより成り、その特徴とする構成は次のとおりである。
【００１９】
各実施例の撮像光学系において、第１１レンズ群Ｌ１１は１つの正レンズＧ１より構成されている。正レンズＧ１の材料の屈折率をＮＧ１、比重をｄＧ１、焦点距離をｆＧ１とする。全系の焦点距離をｆとする。このとき、
ｄＧ１＜−３．１×（ＮＧ１）2＋１４．７×ＮＧ１−１２．８  …（１）
０．４＜ｆＧ１／ｆ＜０．８    …（２）
なる条件式を満たしている。
【００２０】
従来、物体側から像側へ順に、正の屈折力の前方レンズ群と負の屈折力の後方レンズ群よりなる所謂望遠タイプ（テレフォトタイプ）の撮像光学系が多くの撮像装置に用いられている。
【００２１】
テレフォトタイプを採用した場合、前玉の有効範囲（有効径）は軸上光線の有効範囲が支配的となる。テレフォトタイプの撮像光学系は正、負の屈折力のレンズ群を有し、軸上光線を絞り込むことでレンズ全長の短縮を図っている。つまり、有効径は物体側のレンズが大きく、絞り面（像側）に向かって小さくなる。またＦ値（Ｆナンバー）が小さくなればレンズ有効径は逆比例倍で大きくなり、レンズの重量は３乗で増す。したがって、レンズ重量の軽減を図る場合、前玉レンズの軽量化を図ることが効果的である。
【００２２】
レンズ群を構成する１つのレンズの屈折力を弱めてレンズを薄くして軽量化を図るとき、レンズ群全体の屈折力を維持するために他のレンズが大型化・厚肉化してしまうと全体として軽量化が図れない。材料の屈折率と目標とする焦点距離（パワーの逆数）を与えると必要な屈折力を構成するためのレンズの体積がほぼ一意に定まる。これに比重を乗ずるとレンズの所要重量が定まる。本発明者は、所望の屈折力を有するレンズの材料の屈折率と比重の関係からレンズ重量を最適化する手法を考案した。
【００２３】
図６は一定の条件下での単レンズの重量を硝材の比重ごとにプロットしたものである。ここでは、レンズ直径を１４０ｍｍ、シェイプファクターを１．３０、レンズ周辺部のコバを２．５ｍｍ、レンズの焦点距離を２４０ｍｍとしている。そして、レンズの材料の屈折率・レンズの焦点距離（屈折力）を変化させた場合にはレンズの第１レンズ面とレンズの中心厚みを変化させることで前記条件を満たすように調整している。
【００２４】
例えば図６より材料の比重が２．４６の場合、屈折率が１．５３の時にレンズ重量が約５００ｇとなることがわかる。また、比重が同じく２．４６で屈折率を１．８１にすればレンズ重量は約３４０ｇになることがわかる。図６ではレンズ重量を満たすために必要な屈折率と比重の関係を読み取ることができ、従来の構成よりも軽量な領域を図６の破線のように示すことができる。図６に示す破線よりも下側の領域の硝材を利用すればレンズを軽量化することが容易となる。
【００２５】
条件式（１）は以上の条件を鑑みて設定したものであり、第１１レンズ群Ｌ１１の軽量化が容易な範囲を屈折率と比重の関係で規定している。条件式（１）の値を超える範囲の材料を用いると、レンズの軽量化が難しい。第１１レンズ群Ｌ１１の屈折力が小さい場合には、正レンズＧ１が平行平板に近づくため、形状による重量の違いが小さくなる。このため、第１１レンズ群Ｌ１１の屈折力が弱い場合には条件式（１）を満たす材料を用いる効果が小さくなる。
【００２６】
条件式（２）は第１１レンズ群Ｌ１１の正レンズＧ１の焦点距離を規定する。条件式（２）の上限を超えて正レンズＧ１の焦点距離を長くすると軽量化の効果が小さくなる。正レンズＧ１の屈折力が弱くなることで後続レンズ群が大口径化し、光学系全体の軽量化が困難になる。また、条件式（２）の下限を下回って正レンズＧ１の焦点距離が短くなると全系の重量に対して支配的な寄与を有する第１１レンズ群Ｌ１１の重量が増加するため、望ましくない。
【００２７】
このように、条件式（１）を満たす材料を、条件式（２）を満たす屈折力で正レンズＧ１に用いることで第１１レンズＬ１１の軽量化を図っている。更に好ましくは条件式（１），（２）の数値を次の如く設定するのが良い。
【００２８】
ｄＧ１＜−３．１×（ＮＧ１）2＋１４．７×ＮＧ１−１２．９    …（１ａ）
０．４５＜ｆＧ１／ｆ＜０．７５    …（２ａ）
以上の構成を取ることで全体として軽量で高画質な像が得られる撮影光学系が容易に得られる。更に好ましくは次に述べる条件のうち少なくとも１つの条件式を満足するのが良く、これによれば更なる高い光学性能が容易に得られる。
【００２９】
第１１レンズ群Ｌ１１と第１２レンズ群Ｌ１２の光軸上の間隔をＤ１ａｂ、最も物体側のレンズ面から像面までの距離（レンズ全長）をＬとする。第１２レンズ群Ｌ１２に含まれる負レンズの物体側から数えた第ｊ番目の負レンズＧｎｊの焦点距離をｆｎｊ、材料のアッベ数をνｄｎｊとする。第１２レンズ群Ｌ１２に含まれる少なくとも１つの正レンズの材料のアッベ数をνｄ１２ｐとする。このとき、次の条件式のうち１以上を満足するのが良い。
【００３０】
１．５＜ＮＧ１      …（３）
０．０５＜Ｄ１ａｂ／Ｌ＜０．４０      …（４）
−０．２５１≦Σ（ｆ／（ｆｎｊ×νｄｎｊ））＜−０．１５    …（５）
８０＜νｄ１２ｐ    …（６）
ここでΣは総和を表す。
【００３１】
次に前述の各条件式の技術的意味について説明する。条件式（３）は正レンズＧ１の材料の屈折率を規定する。条件式（３）の下限を下回る屈折率を有する材料を用いると、図６に示すように屈折力を強くしたときに第１１レンズ群Ｌ１１の重量が急激に増加するため軽量化が困難になる。第１レンズ群Ｌ１は最も物体側に配置された第１１レンズ群Ｌ１１と第１１レンズ群Ｌ１１よりも像側に配置された第１２レンズ群Ｌ１２より構成される。
条件式（４）は第１１レンズ群Ｌ１１と第１２レンズ群Ｌ１２との光軸上での距離と、最も物体側のレンズ面から像面までの光軸上の距離（レンズ全長）との比を規定する。条件式（４）の下限を下回ると第１２レンズ群Ｌ１２が大口径化し、第１レンズ群Ｌ１の軽量化が困難になる。条件式（４）の上限を上回ると第１１レンズ群Ｌ１１で生じた倍率色収差と軸上色収差をバランスよく補正するのが難しくなる。
【００３２】
条件式（５）は第１２レンズ群Ｌ１２に含まれる負レンズの焦点距離と材料のアッベ数を規定する。条件式（５）を満足することにより、負レンズの色消し効果を適切に設定することで色収差をバランス良く補正している。条件式（５）の下限を下回ると負レンズの重量が増加するため望ましくない。条件式（５）の上限を超えると第１１レンズ群Ｌ１１で生じる倍率色収差と軸上色収差をバランスよく補正することが難しくなる。
【００３３】
条件式（６）は第１１レンズ群Ｌ１１で生じる色収差を補正するための第１２レンズ群Ｌ１２の正レンズの材料のアッベ数を規定する。条件式（６）の下限を下回ると第１１レンズ群Ｌ１１で生じる色収差の補正が困難になる。望ましくは各実施例において条件式（６）を満足する正レンズを２枚以上用いるのが良い。
【００３４】
また、条件式（６）を満足する代わりに、瞳近軸光線が光軸と交わる位置よりも物体側に少なくとも１つの回折光学素子を配置してもよい。回折光学素子は高い色収差補正能力を有するため、瞳近軸光線が光軸と交わる位置よりも物体側に配置することで軸上色収差と倍率色収差を効果的に補正できる。一般に、条件式（６）を満足する硝材は比重が大きく、重量が増加しやすい。回折光学素子を利用すると、第１レンズ群Ｌ１に軽量な硝材を利用することができて、光学系全体を軽量化することが容易になる。更に好ましくは条件式（３），（４），（６）の数値を次の如く設定するのが良い。
【００３５】
１．５３＜ＮＧ１      …（３ａ）
０．１＜Ｄ１ａｂ／Ｌ＜０．３      …（４ａ）
９０＜νｄ１２ｐ      …（６ａ）
一般に正レンズと負レンズの材料のアッベ数の値が近いと色収差を補正した場合、各レンズのパワーが強くなる傾向がある。このため、色収差が補正されても単色収差の補正が難しくなる場合がある。各実施例においてこのような場合には非球面を用いると効果的に単色収差を補正することが容易になる。
【００３６】
以上のように各実施例によれば色収差の補正が容易で、しかもレンズ重量の軽量化が容易な撮影光学系及びそれを有する撮像装置を得ることが容易である。以下に、本発明の好ましい実施の形態を、添付の図面に基づいて詳細に説明する。
【００３７】
［実施例１］
図１に示す実施例１は対角画角が約６．３２度の望遠タイプの撮像光学系である。実施例１では物体側から像側へ順に、正の屈折力の第１レンズ群Ｌ１、負の屈折力の第２レンズ群Ｌ２、正の屈折力の第３レンズ群Ｌ３を有している。第１レンズ群Ｌ１は最も広い空気間隔を境に第１１レンズ群Ｌ１１と第１２レンズ群Ｌ１２から構成されている。第２レンズ群Ｌ２と第３レンズ群Ｌ３の間に開口絞りＳＰを有している。第３レンズ群Ｌ３は正の屈折力の第３１レンズ群Ｌ３１と負の屈折力の第３２レンズ群Ｌ３２と正の屈折力の第３３レンズ群Ｌ３３を有している。
【００３８】
無限遠物体から近距離物体へのフォーカシングは第２レンズ群Ｌ２を像側に移動させることで行っている。焦点距離が長いレンズの場合はレンズが大きく、重いためレンズ全体を移動させてフォーカスを行うのが困難である。
【００３９】
そこで本実施例では第１レンズ群Ｌ１以外の一部の小型軽量のレンズ群を移動させてフォーカスを行っている。撮像光学系ＬＯが振動した時の撮影画像のブレの補正は第３２レンズ群Ｌ３２を可動レンズ群として光軸に対して垂直方向の成分を持つ方向に移動させて行っている。
【００４０】
第１１レンズ群Ｌ１１の正レンズＧ１は株式会社オハラ社  商品名Ｓ-ＴＩＨ３からなり、条件式（１）、（２）、（３）を満たす。実施例１の第１１レンズ群Ｌ１１の重量は約５１３ｇであるが、仮に同条件で株式会社オハラ社  商品名Ｓ−ＦＳＬ５を用いた場合には約６２８ｇとなり、約１１５ｇの軽量化になっている。第１２レンズ群Ｌ１２は物体側から像側へ順に、正レンズ、負レンズ、正レンズ、正レンズから構成されている。
【００４１】
第１１レンズ群Ｌ１１と第１２レンズ群Ｌ１２の間隔が条件式（４）を満たすことで物体側の大口径となる第１１レンズ群Ｌ１１のレンズの枚数を減らし、撮像光学系の軽量化を図っている。第２レンズ群Ｌ２は単一の負レンズから構成されている。第３レンズ群Ｌ３において、第３１レンズ群Ｌ３１は負レンズと正レンズを接合した１組の接合レンズから構成されている。第３２レンズ群Ｌ３２は正レンズと負レンズを接合した接合レンズと、負レンズから構成されている。第３３レンズ群Ｌ３３は正レンズと、正レンズと負レンズを接合した接合レンズから構成されている。
【００４２】
［実施例２］
実施例２は対角画角が約６．３２度の望遠タイプの撮像光学系である。実施例１では物体側から像側へ順に、正の屈折力の第１レンズ群Ｌ１、負の屈折力の第２レンズ群Ｌ２、正の屈折力の第３レンズ群Ｌ３を有している。
【００４３】
第１レンズ群Ｌ１は最も広い空気間隔を境に第１１レンズ群Ｌ１１と第１２レンズ群Ｌ１２から構成されている。第２レンズ群Ｌ２と第３レンズ群Ｌ３の間に開口絞りＳＰを有している。第３レンズ群Ｌ３は正の屈折力の第３１レンズ群Ｌ３１と負の屈折力の第３２レンズ群Ｌ３２と正の屈折力の第３３レンズ群Ｌ３３を有している。無限遠物体から近距離物体へのフォーカシングは第２レンズ群Ｌ２を像側に移動させることで行っている。焦点距離が長いレンズの場合はレンズが大きく、重いためレンズ全体を移動させてフォーカスを行うのが困難である。
【００４４】
そこで本実施例では第１レンズ群Ｌ１以外の一部の小型軽量のレンズ群を移動させてフォーカスを行っている。撮像光学系ＯＬが振動した時の撮影画像のブレの補正は第３２レンズ群Ｌ３２を可動レンズ群として光軸に対して垂直方向の成分を持つ方向に移動させて行っている。第１１レンズ群Ｌ１１の正レンズＧ１は株式会社オハラ社  商品名Ｓ−ＴＩＨ１からなり、条件式（１）、（２）、（３）を満たす。実施例２の第１１レンズ群Ｌ１１は約４６２ｇであるが、仮に同条件で株式会社オハラ社  商品名Ｓ−ＦＳＬ５を用いた場合には約５２５ｇとなり、約６３ｇの軽量化になっている。
【００４５】
第１２レンズ群Ｌ１２は物体側から像側へ順に、物体側に凸面を向けたメニスカス形状の正レンズ、負レンズと正レンズを接合した接合レンズ、正レンズから構成されている。接合レンズは回折光学素子ＤＯＥを構成し、接合レンズの接合面に回折光学部Ｄを有する。回折光学素子ＤＯＥを第１レンズ群Ｌ１に用いることで、色収差の補正を容易にしている。これによって第１１レンズ群Ｌ１１よりも像側にあるレンズに比重が軽い硝材を用いることができ、全系の軽量化を容易にしている。
【００４６】
第１１レンズ群Ｌ１１と第１２レンズ群Ｌ１２の間隔が条件式（４）を満たすことで物体側の大口径となる第１１レンズ群Ｌ１１のレンズの枚数を減らし、撮像光学系の軽量化を図っている。第２レンズ群Ｌ２は１つの負レンズから構成されている。第３レンズ群Ｌ３において、第３１レンズ群Ｌ３１は負レンズと正レンズを接合した接合レンズから構成されている。第３２レンズ群Ｌ３２は正レンズと負レンズを接合した接合レンズと、負レンズから構成されている。第３３レンズ群Ｌ３３は正レンズと、負レンズと正レンズを接合した接合レンズから構成されている。
【００４７】
［実施例３］
実施例３は対角画角が約６．３２度の望遠タイプの撮像光学系である。第１１レンズ群Ｌ１１の正レンズＧ１は株式会社オハラ社  商品名Ｓ−ＴＩＨ５３からなり、条件式（１）、（２）、（３）を満たす。第１１レンズ群Ｌ１１は約４４１ｇであるが、仮に同条件で株式会社オハラ社  商品名Ｓ−ＦＳＬ５を用いた場合には約４９３ｇとなり、約５２ｇの軽量化になっている。また、第１２レンズ群Ｌ１２は正レンズ、負レンズと正レンズを接合した接合レンズ、正レンズから構成されている。その他の構成は実施例２と同様である。
【００４８】
［実施例４］
実施例４は対角画角が約６．３２度の望遠タイプの撮像光学系である。第１１レンズ群Ｌ１１の正レンズＧ１は株式会社オハラ社  商品名Ｓ−ＴＩＭ２２からなり、条件式（１）、（２）、（３）を満たす。第１１レンズ群Ｌ１１は約４０４ｇであるが、仮に同条件で株式会社オハラ社  商品名Ｓ−ＦＳＬ５を用いた場合には約４５１ｇとなり、約４７ｇの軽量化になっている。その他は実施例２と同様の構成である。
【００４９】
［実施例５］
実施例５は対角画角が約３．１８度の望遠タイプの撮像光学系である。実施例５では物体側から像側へ順に、正の屈折力の第１レンズ群Ｌ１、負の屈折力の第２レンズ群Ｌ２、負の屈折力の第３レンズ群Ｌ３を有している。第１レンズ群Ｌ１は最も広い空気間隔を境に第１１レンズ群Ｌ１１と第１２レンズ群Ｌ１２から構成されている。第２レンズ群Ｌ２と第３レンズ群Ｌ３の間に開口絞りＳＰを有している。第３レンズ群Ｌ３は正の屈折力の第３１レンズ群Ｌ３１と負の屈折力の第３２レンズ群Ｌ３２と正の屈折力の第３３レンズ群Ｌ３３を有している。
【００５０】
無限遠物体から近距離物体へのフォーカシングは第２レンズ群Ｌ２を像側に移動させることで行っている。撮像光学系が振動した時の撮影画像のブレの補正は第３２レンズ群Ｌ３２を可動レンズ群として光軸と直交する方向に移動させて行っている。第１１レンズ群Ｌ１１の正レンズＧ１は株式会社オハラ社  商品名Ｓ−ＴＩＭ２７からなり、条件式（１）、（２）、（３）を満たす。第１１レンズ群Ｌ１１は約３３２ｇであるが、仮に同条件で株式会社オハラ社  商品名Ｓ−ＦＳＬ５を用いた場合には約３６０ｇとなり、約２８ｇの軽量化になっている。
【００５１】
第１２レンズ群Ｌ１２は物体側から像側へ順に、物体側に凸面を向けたメニスカス形状の正レンズ、負レンズと正レンズを接合した接合レンズから構成されている。接合レンズは回折光学素子ｆＤＯＥを構成している。接合レンズの物体側の面に回折光学部ＤＯＥを有する。第１１レンズ群Ｌ１１と第１２レンズ群Ｌ１２の間隔が条件式（４）を満たすことで物体側の大口径となる第１１レンズ群Ｌ１１のレンズの枚数を減らし、撮像光学系の軽量化を図っている。
【００５２】
第２レンズ群Ｌ２は正レンズと負レンズの接合レンズから構成されている。第３レンズ群Ｌ３において、第３１レンズ群Ｌ３１は負レンズと正レンズを接合した接合レンズから構成されている。第３２レンズ群Ｌ３２は正レンズと負レンズを接合した接合レンズと、正レンズから構成されている。第３３レンズ群Ｌ３３は正レンズと、正レンズと負レンズを接合した接合レンズ、負レンズ、正レンズと負レンズを接合した接合レンズから構成されている。
【００５３】
ここで、各実施例の撮像光学系で用いた回折光学素子ＤＯＥの構成について説明する。撮像光学系内に配置される回折光学素子ＤＯＥを構成する回折光学部Ｄは、光軸に対して回転対称な回折格子より成っている。
【００５４】
図７（Ａ）は回折光学素子３１の回折光学部の一部分の拡大断面図である。図７（Ａ）は基板（透明基板）３２上に１つの層よりなる回折格子（回折光学部）３３を設けている。図７（Ｂ）は、この回折光学素子３１の回折効率の特性を示す説明図である。図７（Ｂ）において横軸は波長を表し、縦軸は回折効率を表している。なお、回折効率は全透過光束に対する回折光の光量の割合であり、格子部３ａの境界面での反射光などは説明が複雑になるのでここでは考慮していない。
【００５５】
回折格子３３の光学材料は、紫外線硬化樹脂（屈折率ｎｄ＝１．５１３、アッベ数νｄ＝５１．０）を用いている。格子部３ａの格子厚ｄ１を１．０３μｍと設定し、波長５３０ｎｍ、＋１次の回折光の回折効率が最も高くなるようにしている。すなわち設計次数が＋１次で、設計波長が波長５３０ｎｍである。図７（Ｂ）中において＋１次の回折光の回折効率は実線で示している。さらに、図７（Ｂ）では設計次数近傍の回折次数（＋１次±１次である０次と＋２次）の回折効率も併記している。図から分かるように、設計次数での回折効率は設計波長近傍で最も高くなり、それ以外の波長では徐々に低くなる。
【００５６】
この設計次数での回折効率の低下分が他の次数の回折光（不要光）となり、フレアの要因となる。また、回折光学素子３１を光学系中の複数箇所に使用した場合には、設計波長以外の波長での回折効率の低下は透過率の低下にもつながることになる。
【００５７】
次に、異なる材料よりなる複数の回折格子を積層した積層型の回折光学素子について説明する。図８（Ａ）は積層型の回折光学素子３１の一部拡大断面図であり、図８（Ｂ）は図８（Ａ）に示す回折光学素子３１の＋１次の回折光の回折効率の波長依存性を表す図である。
【００５８】
図８（Ａ）の回折光学素子３１では、基板１０２上に紫外線硬化樹脂（屈折率ｎｄ＝１．４９９、アッベ数νｄ＝５４）からなる第１の回折格子１０４を形成している。更にその上に第２の回折格子１０５（屈折率ｎｄ＝１．５９８、アッベ数νｄ＝２８）を形成している。この材料の組み合わせにおいて、第１の回折格子１０４の格子部１０４ａの格子厚ｄ１はｄ１＝１３．８μｍ、第２の回折格子１０５の格子部１０５ａの格子厚ｄ２はｄ２＝１０．５μｍとしている。
【００５９】
図８（Ｂ）からも分かるように、積層構造の回折格子１０４、１０５を備えた回折光学素子３１にすることで、設計次数の回折光において使用波長全域（ここでは可視域）で９５％以上という高い回折効率を得ている。なお、積層構造の回折光学素子３１としては、図８（Ｃ）のように材料の組み合わせによっては２つの層１０４と１０５の格子厚を等しくしても良い。この場合は空気層を隔てて２つの回折格子の層を配置しても良い。
【００６０】
回折光学部は光学面の上に施されているが、そのベースは球面又は平面又は非球面でも良い。また、回折光学部は、それらの光学面にプラスチックなどの膜を回折光学部（回折面）として添付する方法である所謂レプリカ非球面で作成しても良い。回折格子の形状は、その２ｉ次項の位相係数をＣ２ｉとした時、光軸からの距離Ｈにおける位相φ（Ｈ）は次式で表される。ただしｍは回折次数、λ０は基準波長である。
【００６１】
【数１】
0005639625.tif 000002
【００６２】
一般に、レンズ、プリズム等の屈折光学材料のアッベ数（分散値）νｄは、ｄ、Ｃ、Ｆ線の各波長における屈折力をＮｄ、ＮＣ、ＮＦとした時、次式で表される。
【００６３】
νｄ＝（Ｎｄ−１）／（ＮＦ−ＮＣ）＞０      ・・・（ｂ）
一方、回折光学部のアッベ数νｄはｄ、Ｃ、Ｆ線の各波長をλｄ、λＣ、λＦとした時
νｄ＝λｄ／（λＦ−λＣ）                  ・・・（ｃ）
と表され、νｄ＝−３．４５となる。これにより、任意波長における分散性は、屈折光学素子と逆作用を有する。
【００６４】
また、回折光学部の基準波長における近軸的な一時回折光（ｍ ＝ １）の屈折力φは、回折光学部の位相を表す前式（ａ）から２次項の係数をＣ２とした時、φＤ= −２・Ｃ２と表される。さらに、任意波長をλ、基準波長をλ０とした時、任意波長の基準波長に対する屈折力変化は、次式となる。
【００６５】
φＤ’＝（λ／λ０）×（−２・Ｃ２）            ・・・（ｄ）
これにより、回折光学部の特徴として、前式（ａ）の位相係数Ｃ２を変化させることにより、弱い近軸屈折力変化で大きな分散性が得られる。  これは色収差以外の諸収差に大きな影響を与えることなく、色収差の補正を行うことを意味している。
【００６６】
また位相係数Ｃ４以降の高次数の係数については、回折光学部の光線入射高の変化に対する屈折力変化は非球面と類似した効果を得ることができる。それと同時に、光線入射高の変化に応じて基準波長に対し任意波長の屈折力変化を与えることができる。このため、倍率色収差の補正に有効である。さらに本発明の撮像光学系の第１レンズ群Ｌ１のように、軸上光線がレンズ面を通過する際、光軸からの高さが高い位置を通過する面に回折光学素子ＤＯＥを配置すれば、軸上色収差の補正にも有効である。
【００６７】
以上、本発明の好ましい実施形態について説明したが、本発明はこれらの実施形態に限定されず、その要旨の範囲内で種々の変形及び変更が可能である。
【００６８】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。焦点距離、Ｆナンバー、画角（度）はそれぞれ無限遠物体に焦点を合わせたときを表している。バックフォーカスＢＦは最終面（ガラスブロック面）から像面までの距離で表している。
【００６９】
回折光学素子（回折面）は前述（ａ）式の位相関数の位相係数を与えることで表している。非球面形状は光軸方向にＸ軸、光軸と垂直方向にＨ軸、光の進行方向を正、Ｒを近軸曲率半径、ｋを離心率、A4、A6、A8、A10、A12を各々非球面係数としたとき、
【００７０】
【数２】
0005639625.tif 000003
【００７１】
なる式で表している。例えば「ｅ−ｚ」の表示は「１０-Z」を意味している。前述の各条件式と数値実施例における諸数値との関係を表１に示す。
【００７２】
(数値実施例１)
単位 mm
面データ
面番号       r        d      nd         νd       有効径
1*       128.642   18.06   1.74000    28.3      135.15
2        426.327   59.42                        133.08
3        105.039   20.08   1.43387    95.1       91.30
4       -209.070    0.12                         87.60
5       -234.431    5.00   1.75520    27.5       86.44
6         53.610    0.78                         73.93
8        734.607   39.61                         73.18
9*        86.436    7.46   1.75520    27.5       58.96
10        551.632    5.00                         57.47
11       2774.965    3.50   1.73800    32.3       53.84
12         59.115   63.70                         49.76
13(絞り)    ∞       3.00                         41.96
14        238.294    3.00   1.84666    23.8       41.43
15         97.968    6.54   1.72000    43.7       40.79
16       -115.489    6.38                         40.44
17        169.643    5.50   1.80000    29.8       37.97
18       -129.634    3.00   1.49700    81.5       37.47
19         44.653    5.41                         35.42
20        -98.393    2.50   1.62041    60.3       35.43
21         63.955    3.00                         36.54
22        102.356    4.00   1.72047    34.7       38.03
23      -1201.392    0.10                         38.49
24         56.158    8.00   1.51633    64.1       39.89
25       -107.572    3.00   1.74400    44.8       39.80
26       3138.611    5.00                         39.90
27          ∞       2.20   1.51633    64.1       40.12
28          ∞      71.21                         40.18
像面        ∞   
【００７３】
非球面データ
第1面
K = 0.00000e+000  A 4= 2.03636e-010  A 6= 1.90616e-013  A 8=-9.77158e-017  A10= 2.18671e-020  A12=-2.50375e-024  
第9面
K = 0.00000e+000  A 4= 1.39478e-008  A 6= 1.54589e-012  A 8= 5.64272e-014  A10=-4.60026e-017  A12= 1.09187e-020  
各種データ
ズーム比      1.00 
焦点距離     392.00  
Fナンバー      2.90  
半画角（度）   3.16  
像高          21.64  
レンズ全長   372.96  
BF            71.21  
入射瞳位置   980.93  
射出瞳位置   -46.60  
前側主点位置  68.68  
後側主点位置-320.79  
ズームレンズ群データ
群  始面    焦点距離  レンズ構成長  前側主点位置  後側主点位置
1    1     172.10       168.91       133.97       -100.16
2   11     -81.89         3.50         2.06          0.04
3   13     118.88        12.54         6.78         -1.71
4   17     -50.45        16.41        11.97         -0.38
5   22      68.66        22.30         0.37        -15.41
単レンズデータ
レンズ  始面  焦点距離
1       1    242.70
2       3    164.32
3       5    -57.35
4       7    133.43
5       9    134.79
6      11    -81.89
7      14   -198.44
8      15     74.57
9      17     92.61
10      18    -66.45
11      20    -62.11
12      22    131.08
13      24     72.67
14      25   -139.74
15      27      0.00
【００７４】
（数値実施例２）
f= 391.99mm  Fno= 2.89  2ω= 6.32°
面データ
面番号       r        d      nd         νd       有効径
1*       163.873   17.25   1.71736    29.5      135.64
2       3022.122   50.00                        134.36
3        228.252    8.00   1.48749    70.2      101.74
4*       726.256   29.80                         99.40
5       -883.297    4.48   1.84666    23.8       79.41
6(回折)   75.756   15.70   1.48749    70.2       74.29
7       -350.562   23.43                         73.62
8        101.045    9.71   1.73800    32.3       62.80
9       -546.387    1.00                         60.95
10        481.627    2.50   1.84666    23.8       58.19
11*        56.655   70.00                         53.52
12(絞り)    ∞       4.00                         41.01
13         76.089    2.60   1.84666    23.8       39.71
14         38.026   10.00   1.74320    49.3       37.93
15        397.906    1.88                         37.48
16        877.047    4.43   1.84666    23.8       37.36
17        -77.836    1.80   1.65844    50.9       37.24
18         66.096    4.06                         36.42
19       -185.276    3.54   1.72000    46.0       36.53
20         90.701    1.50                         37.71
21        123.242    3.48   1.73800    32.3       38.40
22       -191.063    0.10                         38.63
23       -367.117    2.60   1.49700    81.5       38.77
24         51.731    7.35   1.69895    30.1       40.21
25       -314.722    4.50                         40.40
26          ∞       2.20   1.51633    64.1       50.00
27          ∞                                    50.00
【００７５】
非球面データ
第1面
K = 0.00000e+000  A 4=-1.15560e-008  A 6=-4.53533e-013  A 8= 8.83305e-019  A10=-6.93761e-021  A12= 5.45233e-025  
第4面
K = 0.00000e+000  A 4= 6.12718e-008  A 6=-4.88171e-012  A 8= 3.47625e-016  A10=-2.35354e-019  A12= 4.96639e-023  
第6面(回折面)
C 2=-6.60024e-005  C 4=-3.66616e-009  C 6=-1.78616e-012  C 8= 1.13567e-014  
C10=-1.06293e-017  C12= 4.64679e-021  C14=-8.74708e-025  
第11面
K = 0.00000e+000  A 4=-1.43713e-007  A 6=-5.90038e-011  A 8=-4.01550e-015  A10= 1.91590e-018  A12=-4.74095e-021  
焦点距離     391.99  
Fナンバー      2.89  
半画角（度）   3.16  
像高          21.64  
レンズ全長   367.00  
BF            81.09  
入射瞳位置   926.99  
射出瞳位置   -41.65  
前側主点位置  67.10  
後側主点位置-310.90  
レンズ群データ
群  始面    焦点距離  レンズ構成長  前側主点位置  後側主点位置
1    1     146.19       158.37       135.22        -84.47
2   10     -76.04         2.50         1.54          0.18
3   12     271.01        54.03        12.25        -28.82
単レンズデータ
レンズ  始面  焦点距離
1       1    240.93
2       3    679.24
3       5    -83.14
4       6    127.21
5       8    116.29
6      10    -76.04
7      13    -92.68
8      14     55.91
9      16     84.62
10      17    -54.02
11      19    -84.12
12      21    101.99
13      23    -91.04
14      24     64.09
【００７６】
（数値実施例３）
f= 392.00mm  Fno= 2.89  2ω= 6.32°
面データ
面番号       r        d      nd         νd       有効径
1*       216.521   13.58   1.84666    23.8      135.64
2       3022.122   76.40                        134.59
3        105.338   17.00   1.48749    70.2       91.92
4*      -252.532    3.80                         89.98
5       -432.434    4.48   1.84666    23.8       83.40
6(回折)   66.885   14.50   1.48749    70.2       74.61
7        296.892   21.77                         72.95
8        111.993    9.50   1.72825    28.5       64.73
9       -277.201    1.00                         63.43
10        513.083    2.50   1.84666    23.8       59.50
11*        57.414   70.60                         54.53
12(絞り)    ∞       4.00                         39.55
13         76.948    2.60   1.84666    23.8       38.05
14         39.114    6.00   1.74320    49.3       36.37
15        312.248    1.88                         36.20
16        309.797    4.43   1.84666    23.8       36.08
17       -100.056    1.80   1.65844    50.9       35.88
18         57.544    4.37                         35.03
19       -149.184    3.54   1.72000    46.0       35.15
20         99.237    2.50                         36.47
21         94.711    4.65   1.73800    32.3       38.37
22       -110.876    0.56                         38.55
23        -85.310    2.60   1.49700    81.5       38.56
24         82.043    7.35   1.69895    30.1       39.98
25       -182.892    4.50                         40.40
26          ∞       2.20   1.51633    64.1       50.00
27          ∞                                    50.00
【００７７】
非球面データ
第1面
K = 0.00000e+000  A 4=-1.08292e-008  A 6=-2.39684e-013  A 8=-2.11946e-017  A10= 3.31560e-022  A12=-7.12321e-026  
第4面
K = 0.00000e+000  A 4= 1.85199e-007  A 6=-2.05648e-011  A 8=-1.10002e-015  A10= 9.23235e-019  A12=-9.69362e-023  
第6面(回折面)
C 2=-4.01382e-005  C 4=-2.11690e-009  C 6=-1.22963e-012  C 8=-1.45881e-015  
C10= 3.40204e-018  C12=-9.44823e-022  C14=-1.04292e-025  
第11面
K = 0.00000e+000  C 4=-1.54313e-007  C 6=-6.50718e-011  C 8= 6.03529e-014  C10=-9.95895e-017  C12= 4.40174e-020  
焦点距離     392.00  
Fナンバー      2.89  
半画角（度）   3.16  
像高          21.64  
レンズ全長   367.00  
BF            78.90  
入射瞳位置   920.27  
射出瞳位置   -43.41  
前側主点位置  55.94  
後側主点位置-313.10  
レンズ群データ
群  始面    焦点距離  レンズ構成長  前側主点位置  後側主点位置
1    1     139.52       161.04       129.95        -79.38
2   10     -76.55         2.50         1.53          0.17
3   12     315.14        52.97        24.16        -17.24
単レンズデータ
レンズ  始面  焦点距離
1       1    274.86
2       3    154.89
3       5    -68.51
4       6    171.09
5       8    110.67
6      10    -76.55
7      13    -97.01
8      14     59.61
9      16     89.77
10      17    -55.23
11      19    -82.28
12      21     69.88
13      23    -83.72
14      24     81.97
【００７８】
（数値実施例４）
f= 392.10mm  Fno= 2.89  2ω= 6.32°
面データ
面番号       r        d      nd         νd       有効径
1*       172.993   16.50   1.64769    33.8      135.64
2       4015.582   50.00                        134.54
3        130.324    8.00   1.48749    70.2      104.01
4*       219.200   29.80                        101.83
5        298.174    4.48   1.84666    23.8       84.15
6(回折)   83.891   15.30   1.43875    94.9       78.65
7      -1108.678    9.72                         76.99
8         95.119    7.50   1.72000    46.0       68.10
9       1029.661    2.00                         67.00
10       6816.800    2.50   1.72047    34.7       65.27
11*        54.342   94.24                         58.79
12(絞り)    ∞       0.10                         41.13
13        107.083    2.40   1.84666    23.8       40.70
14         43.824    6.21   1.74320    49.3       39.24
15       -502.587    1.88                         38.94
16        129.128    3.91   1.84666    23.8       37.13
17       -107.119    2.40   1.69350    50.8       36.73
18         54.092    5.03                         35.09
19       -138.717    2.40   1.76200    40.1       35.17
20         85.451    1.50                         36.04
21         88.511    3.48   1.73800    32.3       37.05
22       -330.863    5.57                         37.22
23       1514.471    2.50   1.49700    81.5       38.52
24         55.271    6.46   1.65412    39.7       39.30
25       -917.816   15.01                         39.42
26          ∞       2.20   1.51633    64.1       50.00
27          ∞                                    50.00
【００７９】
非球面データ
第1面
K = 0.00000e+000  A 4=-1.06948e-008  A 6=-5.32361e-013  A 8= 5.75618e-017  A10=-1.12738e-020  A12= 6.05156e-025  
第4面
K = 0.00000e+000  A 4= 4.99233e-008  A 6=-1.53987e-012  A 8= 1.21213e-015  A10=-3.88266e-019  A12= 4.06199e-023  
第6面(回折面)
C 2=-5.21738e-005  C 4= 4.53753e-009  C 6=-1.00852e-011  C 8= 1.44659e-014  
C10=-1.08013e-017  C12= 4.09807e-021  C14=-6.24270e-025  
第11面
K = 0.00000e+000  A 4=-2.58654e-007  A 6=-3.79517e-011  A 8=-1.39593e-013  A10= 1.03639e-016  A12=-3.94251e-020  
焦点距離     392.01  
Fナンバー      2.89  
半画角（度）   3.16  
像高          21.64  
レンズ全長   369.01  
BF            67.92  
入射瞳位置   969.91  
射出瞳位置   -50.28  
前側主点位置  61.85  
後側主点位置-324.08  
レンズ群データ
群  始面    焦点距離  レンズ構成長  前側主点位置  後側主点位置
1    1     133.21       141.30        97.25        -70.02
2   10     -76.04         2.50         1.46          0.01
3   12     306.79        61.05         5.08        -45.11
単レンズデータ
レンズ  始面  焦点距離
1       1    278.65
2       3    640.45
3       5   -141.25
4       6    175.20
5       8    145.07
6      10    -76.04
7      13    -89.17
8      14     54.50
9      16     69.68
10      17    -51.51
11      19    -69.07
12      21     94.96
13      23   -115.49
14      24     79.91
【００８０】
（数値実施例５）
f= 778.931mm  Fno= 5.80  2ω= 3.18°
面データ
面番号       r        d      nd         νd       有効径
1*       176.164   13.00   1.63980    34.5      134.61
2        574.915   85.00                        133.39
3        154.275    7.00   1.48749    70.2      100.46
4*       523.687   44.10                         99.93
5(回折) -830.164    5.00   1.74000    28.3       76.49
6         89.334   11.47   1.49700    81.5       72.69
7       -313.391   71.79                         72.39
8         90.298    2.77   1.48749    70.2       38.00
9      -1241.073    1.80   1.73800    32.3       37.74
10*        68.557   46.77                         36.15
11(絞り)    ∞       0.10                         25.83
12        158.106    1.60   1.84666    23.8       25.71
13         22.120   10.00   1.62588    35.7       24.73
14        -82.695    2.00                         24.46
15       -162.739    4.00   1.80809    22.8       23.78
16        -62.491    1.60   1.83481    42.7       23.59
17         45.627    1.00                         23.87
18         38.510    4.00   1.48749    70.2       24.91
19         59.950    2.10                         25.57
20         70.095    4.00   1.66680    33.0       26.65
21        513.845    8.59                         27.08
22       -133.189    6.00   1.69895    30.1       29.29
23        -26.016    3.00   1.43875    94.9       29.84
24        181.038   13.51                         30.38
25       -163.464    1.60   1.43875    94.9       32.43
26         46.849    1.00                         33.41
27         50.137   10.00   1.71736    29.5       34.00
28        -28.613    3.00   1.80809    22.8       34.06
29       -210.355   24.93                         34.95
30          ∞       2.20   1.51633    64.1       50.00
31          ∞                                    50.00
【００８１】
非球面データ
第1面
K = 0.00000e+000  A 4=-3.45280e-011  A 6= 4.75067e-014  A 8= 1.45809e-018  A10=-2.66402e-021  A12= 2.61793e-025  
第4面
K = 0.00000e+000  A 4= 3.04821e-008  A 6= 6.61574e-013  A 8=-1.16903e-016  A10=-1.25055e-019  A12= 3.19811e-023  
第5面(回折面)
C 2=-4.41908e-005  C 4= 3.38675e-009  C 6=-2.45408e-012  C 8= 2.12494e-015  
C 10=-4.99016e-019  C 12=-5.84869e-023  
第10面
K = 0.00000e+000  A 4= 6.89746e-009  A 6=-2.35869e-010  A 8= 6.62241e-013  A10=-5.49000e-016  A12=-2.07792e-018  A14= 3.51982e-021  
焦点距離     778.93  
Fナンバー      5.80  
半画角（度）   1.59  
像高          21.60  
レンズ全長   485.99  
BF            93.05  
入射瞳位置   1708.47  
射出瞳位置  -102.61  
前側主点位置-613.55  
後側主点位置-685.88  
レンズ群データ
群  始面    焦点距離  レンズ構成長  前側主点位置  後側主点位置
1    1     313.99       165.57       -14.81       -152.47
2    8    -185.19         4.57         5.85          2.86
3   11    -4942.82       104.24      -1190.94       -1671.58
単レンズデータ
レンズ  始面  焦点距離
1       1    392.00
2       3    445.86
3       5   -109.82
4       6    141.21
5       8    172.79
6       9    -87.98
7      12    -30.54
8      13     28.95
9      15    123.34
10      16    -31.38
11      18    208.15
12      20    121.29
13      22     45.22
14      23    -51.62
15      25    -82.80
16      27     26.82
17      28    -41.29
【００８２】
【表１】
0005639625.tif 000004
【００８３】
次に本発明の撮像光学系を撮像装置（カメラシステム）に適用した実施例を図９を用いて説明する。図９は一眼レフカメラの要部概略図である。
【００８４】
図９において、１０は実施例１〜５のいずれか１つの撮像光学系１を有する撮像レンズである。撮影光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【００８５】
７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。このように実施例１〜５の撮像光学系を写真用カメラや、ビデオカメラ、デジタルスチルカメラ等の撮像装置に適用することにより、軽量で高い光学性能を有する撮像装置を実現している。
【００８６】
尚、本発明の撮影光学系はクイックリターンミラーのない撮像装置にも適用することができる。
【符号の説明】
【００８７】
Ｌ０  撮影光学系    Ｌ１  第１レンズ群    Ｌ２  第２レンズ群
Ｌ３  第３レンズ群    Ｌ１１  第１１レンズ群    Ｌ１２  第１２レンズ群
Ｌ３１  第３１レンズ群    Ｌ３２は第３２レンズ群    Ｌ３３  第３３レンズ群
ＤＯＥ  回折光学素子
Ｄ  回折光学部
【図１】
0005639625.tif 000005
【図２】
0005639625.tif 000006
【図３】
0005639625.tif 000007
【図４】
0005639625.tif 000008
【図５】
0005639625.tif 000009
【図６】
0005639625.tif 000010
【図７】
0005639625.tif 000011
【図８】
0005639625.tif 000012
【図９】
0005639625.tif 000013